(57)【要約】【課題】複雑な機構を用いることなく低コストで背凭れの前後位置の調節を可能とし、ガタ付きが生じ難く安定した椅子を提供せんとする。【解決手段】高さ方向に延びる左右の支持フレーム２、２間における後方上部１０に第一の背凭れ板３を渡設し、高さ方向途中部１２に座部４を設け、更に、同じく支持フレーム２、２間における前記背凭れ板３よりも前方で且つ前記座部４よりも上方の所定位置に、第二の背凭れ板５を着脱可能に取付け渡設した。【選択図】          図１
2004167146.tif 000002
【特許請求の範囲】
【請求項１】
高さ方向に延びる左右の支持フレーム間における後方上部に第一の背凭れ板を渡設し、高さ方向途中部に座部を設けてなる椅子であって、同じく支持フレーム間における前記背凭れ板よりも前方で且つ前記座部よりも上方の所定位置に、第二の背凭れ板を着脱可能に取付け渡設してなることを特徴とする椅子。
【請求項２】
前記支持フレームに対する前記座部の取付位置を高さ方向に沿って変更可能とし、該座部を下方位置に取付けるとともに、当該座部よりも上方の所定高さの位置に前記第二の背凭れ板を渡設してなる請求項１記載の椅子。
【請求項３】
前記座部を上方位置に取付けるための取付手段を利用して前記第二の背凭れ板を取付けてなる請求項２記載の椅子。
【請求項４】
前記第二の背凭れ板を、前記第一の背凭れ板よりも低い所定位置に取付けてなる請求項１〜３の何れか１項に記載の椅子。
【請求項５】
前記座部上方に渡設された第一の背凭れ板と第二の背凭れ板との間に余剰空間を設けた請求項１〜４の何れか１項に記載の椅子。
【発明の詳細な説明】
【０００１】
【発明の属する技術分野】
本発明は、子供の成長等の体格に応じて背凭れの前後位置を変更できる椅子に関する。
【０００２】
【従来の技術】
この種の椅子として、従来、上端に背凭れ板を取り付けた背凭れ支持杆を、座部に対して前後方向にスライド移動させることにより背凭れの前後位置を調節可能とした椅子が種々提案されている（例えば、特許文献１、２参照。）。
また、背凭れ支持杆をスライド移動させるもの以外に、同様の背凭れ支持機構を平行四辺形の連鎖を構成する第１から第４のリンクで構成し、該支持機構の下端部を中心に上端の背凭れ板を前後に傾動させることで着座者の体格に合わせて背凭れの奥行き位置及び高さの調整を可能とした椅子が提案されている（例えば、特許文献３参照。）。
【０００３】
しかし、これら従来の背凭れ調節手段は、背凭れ板を備えた支持機構をスライドさせたり回動させたりするための複雑な機構を有し、製作コストが増大するとともに当該機構により背凭れの不安定化、ガタ付きの原因となる一方、このような背凭れ調節の必要は日常多々あるものではなく、より簡易な背凭れ調節の手段が求められていた。
【０００４】
【特許文献１】
実公昭５５−２８１２７号公報
【特許文献２】
実公平６−９８７号公報
【特許文献３】
登録実用新案第３０６７９１０号公報
【０００５】
【発明が解決しようとする課題】
そこで、本発明が前述の状況に鑑み、解決しようとするところは、複雑な機構を用いることなく低コストで背凭れの前後位置の調節を可能とし、ガタ付きが生じ難く安定した椅子を提供する点にある。
【０００６】
【課題を解決するための手段】
本発明は、前述の課題解決のために、高さ方向に延びる左右の支持フレーム間における後方上部に第一の背凭れ板を渡設し、高さ方向途中部に座部を設けてなる椅子であって、同じく支持フレーム間における前記背凭れ板よりも前方で且つ前記座部よりも上方の所定位置に、第二の背凭れ板を着脱可能に取付け渡設してなることを特徴とする椅子を提供する。
【０００７】
ここで、前記支持フレームに対する前記座部の取付位置を高さ方向に沿って変更可能とし、該座部を下方位置に取付けるとともに、当該座部よりも上方の所定高さの位置に前記第二の背凭れ板を渡設してなるものが好ましい。
【０００８】
また、前記座部を上方位置に取付けるための取付手段を利用して前記第二の背凭れ板を取付けてなるものが好ましい。
【０００９】
前記第二の背凭れ板を、前記第一の背凭れ板よりも低い所定位置に取付けてなるものが好ましい。
【００１０】
前記座部上方に渡設された第一の背凭れ板と第二の背凭れ板との間に余剰空間を設けたものが好ましい。
【００１１】
【発明の実施の形態】
次に、本発明の実施形態を添付図面に基づき詳細に説明する。
【００１２】
図１は、本発明に係る椅子の全体構成を示す斜視図であり、図１〜１０は代表的実施形態を示し、図中符号１は椅子、２は支持フレーム、３は第一の背凭れ板、４は座部、５は第二の背凭れ板をそれぞれ示している。
【００１３】
本発明の椅子１は、図１及び図２に示すように、高さ方向に延びる左右の支持フレーム２、２間における後方上部１０に第一の背凭れ板３を渡設し、高さ方向途中部１２に座部４を設け、更に、同じく支持フレーム２、２間における前記背凭れ板３よりも前方で且つ前記座部４よりも上方の所定位置に、第二の背凭れ板５を着脱可能に取付け渡設したものであり、前記第二の背凭れ板５により、座部前端から当該背凭れまでの奥行きを子供等の小柄な着座者の太ももの長さに合わせて調整することが可能となり、子供が成長した場合等には当該位置から第二の背凭れ板５を取外し、第一の背凭れ板３を利用して着座することができるのである。
【００１４】
支持フレーム２は、前後方向に配した接地杆２０の前端から下段位置１３に取付けた座部４の高さと略同一の距離だけ後方の位置、本例では前記接地杆２０の中央部付近に前支杆２１を立設し、且つ前記接地杆２０の後端部に後支杆２２を立設し、前支杆２１及び後支杆２２の上端部間を連結する横桟２３、２３を設けて枠体状に構成されている。
これら左右の支持フレーム２、２は、両前支杆２１、２１の下方寄りの途中部間に前横支杆２４を渡設し、両後支杆２２、２２の下方寄りの途中部間であって前記前横支杆２４と略同じ高さ位置に後横支杆２５を渡設し、両後支杆２２、２２の上端部間に第一の背凭れ板３を渡設して互いに連結されている。
【００１５】
前記支持フレーム２、２により支持される座部４は、上面にクッション部材を取付けた座板４０と該座板４０を支持する座フレーム４１とで構成され、座板４０の左右側端部には、それぞれ各支持フレーム２の前支杆２１及び後支杆２２を受け入れ係合する切欠溝４２、４２が設けられ、第二の背凭れ板５がない状態において、前記座部４は前記切欠溝４２を介して支持フレーム２に前後位置決めされた係合状態のまま、上端の第一の背凭れ板３と下方途中部の前後横支杆２４、２５との間を上下にスライド案内可能に支持されている。
【００１６】
また、前記座フレーム４１は、座板下面側の周縁に沿ってやや内側に設けられた前後左右の支持杆、・・・よりなる枠状構造体であり、左右の支持杆４３の外側面は、前記切欠溝４２に嵌合した前記前支杆２１及び後支杆２２の内側面２１ａ、２２ａに当接し、該内側面の上下方向に沿って所定間隔おきに設けられた複数のビス孔２６、・・・のうち選択された所定のビス孔に当該座フレーム４１がビス止めされることで、当該座部４が支持フレーム２、２間の所定の高さ位置に固定される。
【００１７】
本例では、各内側面２１ａ（２２ａ）において上下方向に合計３つのビス孔２６が連設されており、座部４の取付位置は、これら３つのビス孔２６から選択することにより上段、中段、下段の三段階に高さ変更可能とされている。
このように座部４の取付位置を高さ方向に沿って変更可能とすることで子供の体格にも対応することができ、図１及び図２は座部４を下段位置１３に取付けた状態、図３及び図４は座部４を上段位置１５に取付けた状態、図５は中段位置１４に取付けた状態を示している。
【００１８】
そして、特に下方の下段位置１３に座部４を取付ける際には、当該座部よりも上方であって上記支持フレーム２前寄りの両前支杆２１、２１間に第二の背凭れ板５が渡設されるのである。前記第二の背凭れ板５の左右側端部には、前記前支杆２１の内側面に当接する取付杆５０、５０がそれぞれ下方に延設されており、該取付杆５０を前記内側面にビス止めすることにより前記第二の背凭れ板５が両前支杆２１、２１間の所定高さの位置に渡設される。
【００１９】
前記取付杆５０は、各前支杆２１において座部４を上段及び中段に取付けるための残り２つのビス孔２６、２６を用いてビス止めされており、このように座部４を下段位置１３に取付けた際には使用されないビス孔を利用して前記背凭れ板５を取付けることで新たな取付部を設ける必要がなく製作コストが低減する。
【００２０】
尚、本例では支持フレーム２の上下方向に沿ってビス孔２６を３つ連設し、座部４について三段階の高さ調節を可能とし、座部を下段位置に取付けた場合にのみ第二の背凭れ板５を取付けるものを示したが、本発明はこのような形態に何ら限定されず、例えばビス孔を４つ以上連設し、座部について四段階以上の高さ調節を可能としたり、第二の背凭れ板を取り付けた状態においても更に座部４を高さ調節を可能としたり、第二の背凭れ板５の高さ調節を可能とするものも好ましく、また逆に、ビス孔を２つ以下として座部を上下二段階の高さ調節を可能としたり高さ調節不可とすることも好ましく、また、第二の背凭れ板５の取付けに関して前記ビス孔２６を利用せず、別途取付手段を設けることも勿論可能である。
【００２１】
このようにして取付けられた第二の背凭れ板５は、後方の第一の背凭れ板３よりも低い位置に渡設され、該第二の背凭れ板５を利用する子供等の体格に応じた所定高さに設定されるが、同一高さ或いは第一の背凭れ板３より高い位置としても良い。
【００２２】
前記第一の背凭れ板３と第二の背凭れ板５との間には、これら両背凭れ板３、５と左右の支持フレーム２、２と座部４とで囲まれた余剰空間Ｓが設けられており、鞄等の小物を収納する収納空間として利用可能に構成されている。尚、第一の背凭れ板３と座部４の後端部との間の開放部からの収納物の落下を未然に防止すべく、第一の背凭れ板３の下端部が第二の背凭れ板５の下端部と略同一高さ位置になるように当該背凭れ板３の上下幅を広げて開放面積を小さくしたり、前記第一の背凭れ板３の後端部と接地杆２０の後端部との間に単又は複数の縦杆を立設することが好ましい。
【００２３】
一方、子供が成長したときなど、座部４を高くするとともに第二の背凭れ板５を取り外して第一の背凭れ板３を使用して着座するような場合は、取り外した第二の背凭れ板５を当該椅子１における着座の邪魔にならない適処に取り付けておくことが好ましい。
【００２４】
図６に示すものは、座部４を上段位置１５に取付けた際に使用されない中段及び下段のビス孔２６、２６に支持杆５０をビス止めすることにより座面下側の前支杆２１、２１間に第二の背凭れ板５を取り付けた例を示し、本例では当該取付けを可能とすべく上述の前横支杆２４が当初から省略され、座部４を上段位置に取付けた際の当該支持フレーム２の強度不足が、前記取付けた第二の背凭れ板５が横桟として機能することにより補強され、椅子１全体の安定性が確保されている。これにより前横支杆２４が省略できることから部品点数が削減させ、コストを抑えることが可能となる。
【００２５】
また、図７は前記取り外した第二の背凭れ板５を後支杆２２の下端部に横方向に取付け、底部の接地杆２０の上部に沿って位置させた例を示し、図８は、接地杆２０の先端部に背凭れ板５を前方に突出させて取付け、該背凭れ板５の背面を足置き台として利用可能とした例を示している。その他、後支杆２２における第一の背凭れ板３と座部４との間に前記取り外した第二の背凭れ板５を渡設しても良い。
【００２６】
本例の支持フレーム２は、前支杆２１と後支杆２２とより枠体状に構成されているが、これら支杆の間に更に縦支杆を平行に立設することも可能であり、また、支持フレーム全体を単又は複数の板状部材で構成しても良い。板状部材で構成した場合には、後端に第一の背凭れ板３を渡設するとともに、前端或いは前後方向所定の位置に第二の背凭れ板５を着脱可能に取付ければ良い。
【００２７】
また、前支杆２１と後支杆２２は略同一高さで上端間に横桟２３を渡設したものであるが、図９及び図１０に示すように、支持フレーム２の前支杆２１の高さを上段ビス孔２６が形成されうる限度の低い高さとし、その上端から後支杆２２に向けて水平に横桟２３を渡設してなるものであっても良い。これによれば、図９の第二の背凭れ板を利用して着座する使用形態において、当該背凭れ板５より上方に突出していた前支杆の存在感が解消され、図１０の第一の背凭れ板を利用して着座する使用形態においても、座部上方に突出していた前支杆及びその上端の横桟の存在感が解消され、姿勢の自由度も向上することとなる。
【００２８】
また、第二の背凭れ板５は両端の取付杆５０を介して前支杆２１に取付けられるが、背凭れ板５の両端を直接前支杆２１にビス止めすることや、他の構造の取付部材を介して取り付けることも可能である。
本例では支持フレーム２や背凭れ板３、５、横支杆２４、２５及び座板４０等の各構成要素を主に木材より構成しているが、一部又は全体を金属製又は合成樹脂製の部材で構成することも勿論好ましい実施例である。
【００２９】
【発明の効果】
以上のように、本発明の椅子によれば、第二の背凭れ板により、座部前端から当該背凭れまでの奥行きを子供等の小柄な着座者の太ももの長さに合わせて調整可能となり、子供が成長した場合等には、当該位置から第二の背凭れ板５を取外し、第一の背凭れ板を利用して着座することができるのであり、背凭れ板を備えた支持機構をスライドさせたり回動させたりするための複雑な機構を用いることなく、前記第二の背凭れ板の取り付け、取外しにより背凭れ位置を調節可能としており、製作コストを低減できるとともに、ガタ付きも生じ難く安定した椅子を提供できる。
【００３０】
より具体的には、支持フレームに対する座部の取付位置を高さ方向に沿って変更可能とし、子供等の小柄な着座者の場合には、該座部を下方位置に取付けるとともに、当該座部よりも上方の所定高さの位置に前記第二の背凭れ板を渡設するのであり、これにより前記座部を上方位置に取付けるための取付手段を利用して前記第二の背凭れ板を取付けることも可能となる。
【００３１】
また、座部上方に渡設された第一の背凭れ板と第二の背凭れ板との間に余剰空間を設けたので、ランドセルや鞄等の小物を収納でき、便利である。
【図面の簡単な説明】
【図１】本発明の代表的実施形態に係る椅子を示す斜視図。
【図２】同じく断面図。
【図３】第二の背凭れ板を取り外し、座部を上段位置に取付けた状態を示す斜視図。
【図４】同じく断面図。
【図５】座部を中段位置に取付けた状態を示す断面図。
【図６】座面下側の前支杆間に使用されない第二の背凭れ板を取り付けた状態を示す断面図。
【図７】取り外した第二の背凭れ板を後支杆の下端部に横方向に取付けた状態を示す断面図。
【図８】接地杆の先端部に背凭れ板を前方に突出させて取付けた状態を示す断面図。
【図９】前支杆の高さを上段ビス孔が形成されうる限度の低い高さとした変形例を示す斜視図。
【図１０】同じく座部を上段位置に取付けた状態を示す斜視図。
【符号の説明】
Ｓ  余剰空間
１、１Ａ  椅子
２  支持フレーム
３  第一の背凭れ板
４  座部
５  第二の背凭れ板
１０  後方上部
１２  高さ方向途中部
１３  下段位置
１４  中段位置
１５  上段位置
２０  接地杆
２１  前支杆
２１ａ  内側面
２２  後支杆
２２ａ  内側面
２３  横桟
２４  前横支杆
２５  後横支杆
２６  ビス孔
４０  座板
４１  座フレーム
４２  切欠溝
４３  支持杆
５０  取付杆
【図１】
2004167146.tif 000003
【図２】
2004167146.tif 000004
【図３】
2004167146.tif 000005
【図４】
2004167146.tif 000006
【図５】
2004167146.tif 000007
【図６】
2004167146.tif 000008
【図７】
2004167146.tif 000009
【図８】
2004167146.tif 000010
【図９】
2004167146.tif 000011
【図１０】
2004167146.tif 000012